(57)【要約】【課題】  一枚の隠蔽葉書帳票を送付するだけで、複数種類の申込書を送付できる隠蔽葉書帳票を提供する。【解決手段】  葉書の一部が隠されて返信される隠蔽葉書帳票を、二箇所の折り兼切取り部により三つの領域に分割し、一の領域に再剥離可能な隠蔽ラベルを貼り付け、他の二の領域にそれぞれ隠蔽部を形成するようにして構成し、または、二箇所の折り兼切取り部により三つの領域に分割し、中央領域に被隠蔽部を形成し、二つの側方領域にそれぞれ被隠蔽部を形成するようにして構成する。【選択図】  図１
2005186498.tif 000002
【特許請求の範囲】
【請求項１】
葉書の一部が隠されて返信される隠蔽葉書帳票であって、
二箇所の折り兼切取り部により三つの領域に区切られ、
一の領域に再剥離可能な隠蔽ラベルが貼付され、
他の二の領域のそれぞれに、上記ラベル部により隠蔽される被隠蔽部が形成されていること、
を特徴とする隠蔽葉書帳票。
【請求項２】
葉書の一部が隠されて返信される隠蔽葉書帳票であって、
二箇所の折り兼切取り部により三つの領域に区切られ、
中央領域に隠蔽部が形成され、
二つの側方領域に、上記隠蔽部に対応して被隠蔽部がそれぞれ形成されていること、
を特徴とする隠蔽葉書帳票。
【請求項３】
請求項２に記載の隠蔽葉書帳票は、
上記隠蔽部の表面に再剥離糊が塗布され、
上記粘着剤の上面に剥離紙が貼付されていること、
を特徴とする隠蔽葉書帳票。
【請求項４】
請求項２に記載の隠蔽葉書帳票は、
上記隠蔽部の表面に粘着剤を介して、層間で剥離可能な２層構造フィルムが貼付けられ、
上記２層構造フィルムの表面に粘着剤が塗布され、
上記粘着剤の上面に剥離紙が貼付されていること、
を特徴とする隠蔽葉書帳票。
【発明の詳細な説明】
【技術分野】
【０００１】
この発明は、各種契約における申込書が隠蔽して返信される隠蔽葉書の隠蔽葉書帳票に関し、特に、送付側から一枚の隠蔽葉書帳票を送付するだけで、複数種類の申込書を送付できる隠蔽葉書帳票に関する。
【背景技術】
【０００２】
従来、顧客に情報を送付し、顧客から返信を求める際、その返信内容に他人に見られたくない情報やセキュリティを要求する情報が含まれる場合には、主に封書形態で送付されていた。しかし、近年郵便料金の節約から返信内容が少ないものについては、隠蔽葉書が使われることが多くなってきた。例えば、口座振替の申し込みを返信内容として返信する場合にも、隠蔽葉書が使われる。
【０００３】
隠蔽葉書は、隠蔽葉書帳票の形態をとって顧客に送付される。隠蔽葉書帳票は、従来、帳票が折り部により二つの領域に区切られ、一の領域に口座振替に必要な事項が記入される口座振替記入欄が形成され、他の領域に口座振替記入欄を被覆して隠蔽する隠蔽面が被口座振替記入欄に対応して形成され、隠蔽面の表面に再剥離糊を塗布して剥離紙が貼付されてなる（例えば、特許文献１参照。）。
【０００４】
この隠蔽葉書帳票の口座振替記入欄に顧客が口座振替に必要な事項を記入して、剥離紙を剥離して粘着剤を露出させ、口座振替記入欄と隠蔽面を折り部で折り畳んで重ね合わせて、粘着剤で被隠蔽部と隠蔽部を貼り付けることにより、口座振替記入欄が隠蔽面に被覆されて隠蔽され、隠蔽葉書となる。
【０００５】
ところで、最近は、支払いの形態として、口座による振替だけではなく、クレジット支払いも使われるようになってきており、各種の支払方法が存在している。そして、顧客の利便性を図るため、各種の支払方法の中から顧客の希望に合わせて選択できるようにしている企業もある。
【０００６】
【特許文献１】特開平１１−７０７６７号公報
【発明の開示】
【発明が解決しようとする課題】
【０００７】
上述のような従来の隠蔽葉書帳票では、顧客に各種の支払方法の中から希望に合わせて選択してもらう場合、葉書一枚に各種の支払方法に対する記入欄を設けなくてはならなくなる。例えば、口座振替と、クレジット支払いの方法を顧客に対して用意している場合には、口座振替用の記入欄として、銀行や郵便局の名称や支店名、口座番号、名義人が必要であり、また、クレジット支払いの記入欄として、口座振替用の記入欄と異なる、カード番号や有効期限、名義人が必要である。また、各種の支払方法に関連した関連情報も独自に設けなければならない。
【０００８】
このような場合、例えば口座振替とクレジット支払いを葉書一枚に記載することはスペース上の制約があった。したがって、従来の隠蔽葉書帳票では、一種類の支払方法の申し込みにしか利用できず、顧客に各種の支払方法を選んでもらう場合、例えば口座振替用の隠蔽葉書帳票と、クレジット支払い用の隠蔽葉書帳票の２種類の隠蔽葉書帳票を封書に同封して顧客に送付しなくてはならなかった。
【０００９】
複数種類の隠蔽葉書帳票を用意すると、複数枚分の印刷料金が必要であり、また、隠蔽面の加工が必要であり、隠蔽ラベルが複数種類分必要であり、生産コストが増加する。また、複数枚送付することは、その分、重量が増加するので、重量に応じて料金が変わる郵便料金体系では、郵便コストが増加する恐れがある。例えば、現在の郵便料金体系では、定形郵便物で２５ｇ以内であれば８０円であり、２５ｇを超える場合には９０円となる。この境界領域付近では数ｇの重量増が大きな郵便料金コスト増となる。さらに、複数種類の隠蔽葉書帳票を同封すると、封書が全体として極めて嵩張るものになる。
【００１０】
複数種類の隠蔽葉書帳票を同封すると、顧客が複数種類同封されていることを見落とし、支払方法が選択できることを見落とすおそれがある。
【００１１】
この発明は、このような事情に鑑みてなされたもので、その目的とするところは、一枚の隠蔽葉書帳票を送付するだけで、複数種類の申込書を送付できる隠蔽葉書帳票を提供することにある。
【課題を解決するための手段】
【００１２】
上記課題を解決するために、本発明は、葉書の一部が隠されて返信される隠蔽葉書帳票であって、二箇所の折り兼切取り部により三つの領域に区切られ、一の領域に再剥離可能な隠蔽ラベルが貼付され、他の二の領域のそれぞれに、上記ラベル部により隠蔽される被隠蔽部が形成されていること、を特徴とする。
【００１３】
また、本発明は、葉書の一部が隠されて返信される隠蔽葉書帳票であって、二箇所の切取り部または折り部により三つの領域に区切られ、中央領域に隠蔽部が形成され、二つの側方領域に、上記隠蔽部に対応して被隠蔽部がそれぞれ形成されていること、を特徴とする。
【００１４】
ここで、「折り兼切取り部」とは、切り取ることもできるし、切り取らずに折ることもできるものであり、例えば、ミシン目が含まれる。また、切取り線のような印刷による目印であってもよく、折りやすいように折り跡をつけたものでもよい。
【００１５】
「三つの領域に区切られ」ることにおいて、葉書サイズに均等に三つの領域に区切られ、三つの領域が均等面積となることが含まれる。この場合、隠蔽葉書帳票は、葉書サイズの３倍の面積を有する。また、被隠蔽部が形成される領域が葉書サイズ以内であれば、三つの領域が異なった面積になっていてもよい。この場合、葉書サイズの３倍より小さくなる。
【００１６】
「一の領域」と「他の二の領域」の位置関係は、適宜使用に合わせて配置でき、一の領域を隠蔽ラベルが添付されるラベル添付領域とし、他の二の領域については、口座振替記入欄を被隠蔽部とした口座振替葉書領域、およびクレジット支払い記入欄を被隠蔽部としたクレジット支払い葉書領域とすることが含まれる。また、「中央領域」には、隠蔽部が形成された隠蔽領域とし、「二つの側方領域」については、口座振替記入欄を被隠蔽部とした口座振替葉書領域、およびクレジット支払い記入欄を被隠蔽部としたクレジット支払い葉書領域とすることが含まれる。
【００１７】
「被隠蔽部」とは、隠蔽されるもの、のことであり、顧客のプライバシーに関わる情報やセキュリティが必要な情報が記入される隠蔽されるべき記入欄が含まれる。例えば、口座振替を申し込む口座振替記入欄や、クレジット支払いを申し込むクレジット支払い記入欄が含まれる。
【００１８】
「隠蔽部」とは、隠蔽するもの、のことであり、「隠蔽部が形成される」とは、側方領域の一部または全部の面を隠蔽面として隠蔽するものにすることが含まれる。
【００１９】
このように、本発明は、複数の領域ごとに隠蔽される各種の被隠蔽部を形成し、被隠蔽部を覆い隠す隠蔽ラベルを添付し、もしくは被隠蔽部を隠す隠蔽部を一の領域に形成し、この領域に、隠蔽部が形成される領域を切離し可能に複数連接したものである。
【００２０】
したがって、上述のような構成により、一枚の隠蔽葉書帳票を送付するだけで、複数種類の申し込みを送付できるので、印刷コストは一枚分ですみ、隠蔽部の加工や隠蔽ラベルが一枚分ですみ、生産コストが大幅に削減することができる。また、封書が嵩張ることがなく、封書全体の郵便料金を抑えることができ、送付コストも削減することができる。
【００２１】
さらに、複数種類の申込みが一枚の隠蔽葉書帳票に記載できるので、顧客は、複数種類の申し込みの選択が可能であることを見落とすことがない。
【００２２】
尚、隠蔽ラベルを一の領域に添付した隠蔽葉書帳票の場合、複数箇所の折り兼切取り部によって、領域を複数分割するようにしてもよく、各種の申し込みが選択できる分だけ、被隠蔽部が形成された領域が複数連接されているようにしてもよく、この場合、隠蔽葉書帳票は、その分、幅が広い帳票が用いられる。さらに、隠蔽葉書帳票の領域を分割する二箇所の折り兼切取り部によって、領域を四分割し、隠蔽部が形成された領域を三つにすることもでき、三種類の申し込みに対応できる。つまり、折り兼切取り部を幅方向および長さ方向に複数箇所配することによって、一枚の隠蔽葉書帳票で複数の申し込みが選択可能になるようにしてもよい。
【００２３】
また、中央領域に隠蔽部が形成された隠蔽葉書帳票の場合、隠蔽部が形成された領域と、被隠蔽部が形成された領域を隣り合わせるように領域を分割させれば、隠蔽部が形成された一つの中央領域に対して最大四つの被隠蔽部が形成された側方領域を分割することができ、最大四つの申し込みが一枚の隠蔽葉書帳票に記載できる。尚、領域を三分割したものを上下に連接させるように隠蔽葉書帳票を幅方向に更に折り兼切取り部で分割すれば、少なくとも四つの申し込みが一枚の隠蔽葉書帳票に記載でき、このとき被隠蔽部は、（所望の申込み選択可能数/２）個の領域に形成されることとなる。さらに、一つの中央領域に対して最大四つの申し込みが一枚の隠蔽葉書帳票に記載できる形態について、上下に連接させるように隠蔽葉書帳票を幅方向に更に折り兼切取り部で分割した場合は、被隠蔽部は、（所望の申込み選択可能数/４）個の領域に形成されることとなる。
【００２４】
本発明の隠蔽葉書帳票は、顧客の作業により隠蔽葉書となって返信されるもので、隠蔽部と被隠蔽部を設ける構成では、隠蔽部と被隠蔽部が返信先で剥離可能となるようにすることができる。
【００２５】
例えば、本発明において、隠蔽葉書帳票は、上記隠蔽部の表面に再剥離糊が塗布され、上記粘着剤の上面に剥離紙が貼付されているようにしてもよい。
【００２６】
例えば、本発明において、隠蔽葉書帳票は、上記隠蔽部の表面に粘着剤を介して、層間で剥離可能な２層構造フィルムが貼付けられ、上記２層構造フィルムの表面に粘着剤が塗布され、上記粘着剤の上面に剥離紙が貼付されているようにしてもよい。
【発明の効果】
【００２７】
本発明は、葉書の一部が隠されて返信される隠蔽葉書帳票を、二箇所の折り兼切取り部により三つの領域に区切り、一の領域に再剥離可能な隠蔽ラベルを貼り付け、他の二の領域にそれぞれ隠蔽部を形成するようにして構成し、または、二箇所の折り兼切取り部により三つの領域に分割し、中央領域に被隠蔽部を形成し、二つの側方領域にそれぞれ被隠蔽部を形成するようにして構成したので、印刷コストおよび隠蔽部の加工や隠蔽ラベルが一枚分ですみ、生産コストが大幅に削減でき、かつ隠蔽葉書帳票を同封する封書の郵便料金を抑えることができる（郵便料金は重量に応じて料金が変わる体系になっており、一定重量を超えると金額が大きく変わる。定形で封入物がやや多い場合、この境界値付近となることが多く、一点の封入物の重量が郵送コストに影響を与えることが少なくない）。さらに顧客が複数種類の申し込みが選択可能であることを容易に理解できて利便性が高まる。
【発明を実施するための最良の形態】
【００２８】
以下、この発明の一実施形態について図１乃至図７を基づき詳細に説明する。
【００２９】
図１は、本発明の一実施形態にかかる隠蔽葉書帳票の表面図である。まず、図３は、本発明に係る隠蔽ラベルが貼付けられた図１に示す隠蔽葉書帳票のＡ−Ａ断面図である。
【００３０】
この隠蔽葉書帳票１には、折り兼切取り部たるミシン目６が縦断して二箇所、隠蔽葉書帳票１を均等に三分割するように設けられている。このミシン目６は、ミシン目６に沿って、折り曲げ、または切り取りが行えるように、折り跡がつけられ、また、ミシン目が入れられている。
【００３１】
二箇所のミシン目６で三つの領域に区切られた領域は、葉書サイズの領域であるが、それぞれ、隠蔽ラベルが添付されるラベル添付領域２と、口座振替葉書となる口座振替葉書領域３と、クレジット支払い葉書となるクレジット支払い葉書領域４となる。
【００３２】
ラベル添付領域２は、表面に、口座振替葉書に記載する記入方法と記入例、およびクレジット支払い葉書に記載する記入方法と記入例が印刷されており、さらに記入例が記載された個所とは別の個所に隠蔽ラベル２ａが貼り付けられている。
【００３３】
口座振替葉書領域３は、顧客の住所および氏名と電話番号を記載する記入欄と、本実施形態においてプライバシーもしくはセキュリティの関係上、他人に見られるべきでないと判断された、隠蔽部たる口座振替記入欄３ａとが印刷されている。口座振替記入欄３ａには、口座振替に関する指定金融機関名、口座番号、預金者名、口座お届け印押印欄といった記入欄が設けられている。
【００３４】
クレジット支払い葉書領域４は、顧客の住所および氏名と電話番号を記載する記入欄と、本実施形態においてプライバシーもしくはセキュリティの関係上、他人に見られるべきでないと判断された、隠蔽部たるクレジット支払い記入欄４ａとが印刷されている。クレジット支払い記入欄４ａには、氏名、カード有効期限、カード番号、利用できるクレジットカード会社選択欄といった記入欄が設けられている。
【００３５】
隠蔽ラベル２ａは、口座振替記入欄３ａとクレジット支払い記入欄４ａのうち、大きいほうの記入欄も被覆できるサイズの大きさのものが貼り付けられる。
【００３６】
この隠蔽ラベル２ａは、ポリエチレンテレフタレート（ＰＥＴ）、ポリプロピレン（ＰＰ）、ポリエチレン(ＰＥ)、不織布等の透明性または半透明性の樹脂フィルムを基材としている。表面には、透過防止印刷として、銀色、黒色、濃紺色等の濃色系の印刷インキがベタ印刷あるいは地紋印刷され、光が透過しない濃色系の紙が貼られている。また、裏面には、再剥離糊が塗布されている。透過防止印刷または濃紺色系の紙により、口座振替記入欄３ａやクレジット支払い記入欄４ａを隠蔽でき、再剥離糊によって、再剥離が可能となるラベルとなる。
【００３７】
図３は、本発明に係る隠蔽ラベルが貼付けられた図１に示す隠蔽葉書帳票１のＡ−Ａ断面図であるが、この隠蔽ラベル２ａは、顧客に隠蔽葉書帳票１を送付した時点では、図３に示すように、再剥離糊によって、ラベル添付領域の表面に貼り付けられている。ラベル添付領域の隠蔽ラベルが貼り付けられる位置には、再剥離糊の再剥離性を保つため、必要に応じて、シリコーンを主成分とした剥離剤が塗布され、または、ニスや印刷インキによるベタ印刷もしくは網点印刷による糊殺し加工が施されている。
【００３８】
また、図示しないが、口座振替葉書領域３と、クレジット支払い葉書領域４の裏面には、顧客が返信する返信先の宛名がそれぞれ印刷されている。
【００３９】
以下、このような隠蔽葉書帳票１から、顧客が隠蔽葉書を作成する作成動作を説明する。顧客は、隠蔽葉書帳票１が送付されてくると、所望の支払方法を選択する。本実施形態においては、口座振替記入欄３ａとクレジット支払い記入欄４ａが形成されており、このうち口座振替を選択したとする。
【００４０】
まず、顧客は、ラベル添付領域２に記載されている記入方法および記入例に基づき、口座振替葉書領域３内の記入欄に必要事項を記入する。このとき、口座振替記入欄３ａ内も記載される。
【００４１】
記入し終わると、不要となるラベル添付領域２とクレジット支払い葉書領域４を、それぞれミシン目６に沿って切り離す。切り離されると、隠蔽葉書帳票１は、口座振替葉書領域３のみが残る。
【００４２】
次に、切り離されたラベル添付領域２に貼り付けられている隠蔽ラベル２ａを剥す。隠蔽ラベル２ａは、裏面に再剥離糊が塗布されているので、ラベル添付領域２から剥すことができる。
【００４３】
そして、剥された隠蔽ラベル２ａを、口座振替葉書領域３の隠蔽が必要とされる口座振替記入欄３ａに重ねあわせ、隠蔽ラベル２ａの再剥離糊により隠蔽ラベル２ａと口座振替葉書領域３とを剥離可能に接着させ、口座振替記入欄３ａを隠蔽する。隠蔽ラベル２ａの表面には、透過防止印刷もしくは光が透過しないの濃色系の紙が張られており、口座振替記入欄３ａが隠蔽され視認できなくなる。
【００４４】
隠蔽ラベル２ａにより口座振替記入欄３ａが隠蔽されると、口座振替葉書領域３が裏面に記載された宛名に送付される隠蔽葉書となり、顧客により投函される。
【００４５】
次に、隠蔽葉書が送達された企業等は、口座振替記入欄３ａに記載された記載事項により、振り替え手続きを行うが、口座振替領域３内の口座振替記入欄３ａを隠蔽している隠蔽ラベル２ａは、再剥離糊により接着されているので、企業側で剥離し、口座振替記入欄３ａを視認することができる。
【００４６】
このような隠蔽葉書帳票１は、カールなどの発生も防ぐことができ、また隠蔽作業においての扱いが容易であり、隠蔽される記載欄が小さいとき便利な隠蔽葉書帳票１となる。
【００４７】
次に、本発明に係る隠蔽葉書帳票１の他の実施形態について、図２および図４乃至５に基づき詳細に説明する。
【００４８】
図２に示す隠蔽葉書帳票１は、上述の実施形態と同様に二箇所のミシン目６により三つの領域に区切られているが、中央領域が口座振替葉書領域３もしくはクレジット支払い領域４を隠蔽する隠蔽領域５となり、二つの側方領域がそれぞれ、口座振替葉書領域３とクレジット支払い領域４となる。
【００４９】
中央領域の隠蔽領域５には、口座振替記入欄３ａもしくはクレジット支払い記入欄４ａを隠蔽する被隠蔽部たる隠蔽面５ａが形成されている。隠蔽面５ａと口座振替記入欄３ａとクレジット支払い記入欄４ａは、隠蔽面５ａに対応した位置に形成されており、隠蔽面５ａと、口座振替記入欄３ａおよびクレジット支払い記入欄４ａがミシン目６を対称軸として線対称になる位置に形成されている。
【００５０】
図４は、本発明の実施形態に係る隠蔽面が形成された隠蔽葉書帳票の一実施形態における断面図であるが、図４に示すように隠蔽面５ａの表面には、再剥離糊層５ｃが塗布されている。再剥離糊層５ｃの上面には、剥離紙５ｂが剥離可能に貼り付けられている。再剥離糊層５ｃは、隠蔽面５ａと、口座振替記入欄３ａもしくはクレジット支払い記入欄４ａが重ねあわされた際に、これらを再剥離可能に接着する層となる。
【００５１】
剥離紙５ｂは、裏面にシリコーンを主成分とした剥離剤が塗布され、または、ニスや印刷インキによるベタ印刷もしくは網点印刷による糊殺し加工が施されている。この剥離剤や糊殺し加工によって剥離紙５ｂは、隠蔽葉書帳票１から隠蔽葉書を作成する際に再剥離糊層５ｃの接着力を保持しながら剥がれる紙となる。この剥離紙５ｂの表面には、口座振替葉書とクレジット支払い葉書に記載する記入方法と記入例が印刷されている。
【００５２】
また、図示しないが、口座振替葉書領域３と、クレジット支払い葉書領域４の裏面には、顧客が返信する返信先の宛名が印刷されている。尚、クレジットカードによる支払いも口座振替により支払いも同じ宛先に送付する場合には、隠蔽領域５の裏面に印刷することもできる。
【００５３】
以下、このような隠蔽葉書帳票１から、顧客が隠蔽葉書を作成する作成動作を説明する。
【００５４】
顧客は、隠蔽葉書帳票１が送付されてくると、所望の支払方法を選択する。本実施形態においては、口座振替記入欄３ａとクレジット支払い記入欄４ａが形成されており、このうち口座振替を選択したとする。
【００５５】
まず、顧客は、剥離紙５ｂの表面に記載されている記入方法および記入例に基づき、口座振替葉書領域３内の記入欄に必要事項を記入する。
【００５６】
記入し終わると、不要となるクレジット支払い葉書領域４を、隣接しているミシン目６から切り離す。切り離すことによって、隠蔽葉書帳票１は、口座振替葉書領域３と隠蔽領域５が残る。
【００５７】
次に、剥離紙５ｂを剥す。剥離紙５ｂは、裏面の剥離剤もしくは糊殺し加工を介して再剥離糊層５ｃで接着されているので、再剥離可能の状態で、再剥離糊層５ｃを露出させることができる。
【００５８】
再剥離糊層５ｃが露出すると、口座振替葉書領域３と隠蔽領域５を分割しているミシン目６を折り跡を利用して折り畳んで重ね合わせる。
【００５９】
口座振替葉書領域３と隠蔽領域５を重ね合わせると、再剥離糊層５ｃにより口座振替記入欄３ａと隠蔽面５ａが再剥離可能に接着される。これにより、口座振替記入欄３ａが隠蔽領域５内の隠蔽面５ａにより隠蔽される。口座振替記入欄３ａは、上質紙である隠蔽面５ａによって隠蔽されて視認できなくなる。
【００６０】
隠蔽面５ａにより口座振替記入欄３ａが隠蔽されると、重ねあわされた口座振替葉書領域３と隠蔽領域５が、口座振替領域３の裏面に記載された宛名に送付される隠蔽葉書となり、顧客により投函される。
【００６１】
次に、隠蔽葉書が送達された企業等は、口座振替記入欄３ａに記載された記載事項により、振り替え手続きを行うが、口座振替記入欄３ａを隠蔽している隠蔽面５ａは、再剥離糊により接着されているので、隠蔽領域５ごと剥離し、口座振替記入欄３ａを視認することができる。
【００６２】
このような隠蔽葉書帳票１は、隠蔽される記載欄が大きいときに、比較的高価で、大きい記載欄を覆い隠す程度の大きさの隠蔽ラベルを使用する必要がなく、低コストな隠蔽葉書帳票１となる。
【００６３】
また、図５に示すように、隠蔽面５ａの表面は、図４に示す再剥離糊５ｃと剥離紙５ｂに代えて、粘着剤５ｄ,５ｅと２層構造フィルム５ｇ,５ｆと剥離紙５ｂを配することもできる。
【００６４】
まず、隠蔽面５ａの表面には、粘着剤よりなる隠蔽面側粘着剤層５ｄが塗布され、隠蔽面側粘着剤層５ｄの上面に隠蔽面側フィルム５ｆが接着されている。この隠蔽面側粘着剤層５ｄにより、隠蔽面５ａと隠蔽面側フィルム５ｆは、剥離不能に接着される。
【００６５】
隠蔽面側フィルム５ｆは、樹脂フィルム、あるいは、グラシン紙や不織紙よりなる。この隠蔽面側フィルム５ｆの上面には、被隠蔽面側フィルム５ｇが専用シーラ機により熱圧着されて擬似接着されている。
【００６６】
この被隠蔽側フィルム５ｇは、隠蔽葉書が作成され、再度隠蔽された記入欄を視認する際に、記入欄上に配されたままのフィルムであり、被隠蔽側フィルム５ｇを通して記入欄を視認できるように、透明性または半透明性の樹脂フィルム、あるいは、透明性または半透明性のグラシン紙や不織紙よりなる。
【００６７】
このように隠蔽面側フィルム５ｆと被隠蔽面側フィルム５ｇは、擬似接着されて２層構造フィルムとなり、粘着剤層５ｄを介して隠蔽面５ａに貼り付けられているが、隠蔽葉書帳票１から隠蔽葉書が作成されて、再度隠蔽された口座振替記入欄３ａもしくはクレジット支払い記入欄４ａを視認する場合には、擬似接着された層間が剥がれて剥離可能になる。すなわち、隠蔽面側フィルム５ｆは、隠蔽面５ａ側に残り、被隠蔽側フィルム５ｇは、口座振替記入欄３ａもしくはクレジット支払い記入欄４ａ側に残ることとなる。
【００６８】
このような２層構造フィルムの上面には、さらに粘着剤層５ｅが塗布されている。そして、この粘着剤層５ｅを介して被隠蔽側フィルム５ｇと剥離紙５ｂが剥離可能に接着されている。この粘着剤層５ｅは、葉書が作成された際に、口座振替記入欄３ａもしくはクレジット支払い記入欄４ａと、被隠蔽側フィルム５ｇを剥離不能に接着する。
【００６９】
以下、このような隠蔽葉書帳票１から、顧客が隠蔽葉書を作成する作成動作を説明するが、隠蔽葉書作成段階は上述の動作と同様であるから省略し、送達された企業等が口座振替記入欄３ａもしくはクレジット支払い記入欄４ａを視認する動作を説明する。
【００７０】
顧客により投函された隠蔽葉書が送達されると、送達された企業等は、隠蔽面５ａと口座振替葉書領域３とを隠蔽領域５ごと剥離する。このとき、口座振替記入欄３ａ上に被隠蔽側フィルム５ｇが残り、隠蔽面５ａ上に隠蔽面側５ｆが残るように、２層構造フィルムの擬似接着が剥離し、口座記入欄３ａと隠蔽面５ａが剥離する。これにより、口座振替記入欄３ａを視認することができる。
【００７１】
このような隠蔽葉書帳票１は、２層構造フィルムの擬似接着が剥がれ、口座振替記入欄３ａ上の最上面がフィルムとなり、粘着剤や再剥離剤が残らず、ベトつくことなく扱いが容易になる。
【００７２】
次に、上述の実施形態において、宛先は、口座振替とクレジットカードによる支払いの申し込みが同一の送付先である場合には、隠蔽領域５の裏面に印刷し、口座振替とクレジットカードによる支払いの申し込みが異なる送付先である場合には、口座振替葉書領域３とクレジット支払い葉書領域４の裏面のそれぞれに印刷した。この宛先は、記入欄が小さい場合には、隠蔽領域５または口座振替葉書領域３もしくはクレジット支払い葉書領域４の同一表面に印刷することもできる。
【００７３】
以下、隠蔽領域５または口座振替葉書領域３もしくはクレジット支払い葉書領域４の同一表面に印刷する形態の隠蔽葉書帳票１について図６および図７に基づき説明する。
【００７４】
図６は、本発明の実施形態に係る隠蔽面が形成された隠蔽葉書帳票の表面の一実施形態の概略図である。図６に示すように、口座振替記入欄３ａとクレジット支払い記入欄４ａは、記入スペースが小さく、口座振替葉書領域３とクレジット支払い葉書領域４の一部を占有しているのみとなっている。それに合わせて隠蔽面５ａも隠蔽領域５の一部を占有しているのみとなっている。尚、図６に示す実施形態においては、口座振替とクレジットカードによる支払いの申込書の送付先は同一の宛先であるものとする。
【００７５】
このような隠蔽葉書帳票１は、隠蔽領域５の隠蔽面５ａ以外の領域に宛名７が印刷されている。さらに、宛名７に対応した位置には切離し領域８が形成されており、口座振替葉書領域３とクレジット支払い葉書領域４内の、宛名７に対するミシン目６を対称軸とした線対称の領域には、それぞれ切離し領域８が形成されている。この切離し領域８と口座振替記入欄３ａおよびクレジット支払い記入欄４ａとの間には、さらにミシン目６が口座振替葉書領域３とクレジット支払い葉書領域４のそれぞれを横断している。
【００７６】
次に、図７は、本発明の実施形態に係る隠蔽面が形成された隠蔽葉書帳票１の表面の他の実施形態の概略図であるが、図６に示す実施形態と同様に、口座振替葉書領域３とクレジット支払い葉書領域４の一部を占有しいるのみとなっている。それに合わせて隠蔽面５ａも隠蔽領域５の一部を占有しているのみとなっている。図７に示す実施形態においては、口座振替とクレジットカードによる支払いの申込書の送付先が相違するものとする。
【００７７】
このような隠蔽葉書帳票１は、口座振替葉書領域３の口座振替記入欄３ａ以外の領域とクレジット支払い葉書領域４のクレジット支払い記入欄４ａ以外の領域に、それぞれ宛名７が印刷されている。さらに、宛名７に対応した位置には、切り離し領域８が形成されており、隠蔽領域５内の、宛名７に対するミシン目６を対称軸とした線対称の領域には、切離し領域８が形成されている。この切離し領域８と隠蔽面５ａとの間には、さらにミシン目６が隠蔽領域５を横断している。
【００７８】
図６に示すような隠蔽葉書帳票１から隠蔽葉書を作成するには、まず、上述の実施形態と同様に口座振替葉書領域３もしくはクレジット支払い葉書領域４のうち、選択されなかった不要となる領域をミシン目６により切り離す。次に、選択されたほうの切離し領域８を、横断するミシン目６と縦断しているミシン目６で切り離す。そして、残った口座振替記入欄３ａが形成されている口座振替葉書領域３、もしくはクレジット支払い記入欄４ａが形成されているクレジット支払い葉書領域４を剥離紙５ｂが剥離された隠蔽面５に重ね合わせて剥離可能に接着すればよい。
【００７９】
図７に示すような隠蔽葉書帳票１から隠蔽葉書を作成するには、同様に、口座振替葉書領域３もしくはクレジット支払い葉書領域４のうち、選択されなかった不要となる領域をミシン目６により切り離す。次に、隠蔽領域５内の切離し領域８を、横断するミシン目６と縦断しているミシン目６で切り離す。そして、残った口座振替記入欄３ａが形成されている口座振替葉書領域３、もしくはクレジット支払い記入欄４ａが形成されているクレジット支払い葉書領域４を剥離紙５ｂが剥離された隠蔽面５に重ね合わせて剥離可能に接着すればよい。
【００８０】
このようにすると、宛名７および隠蔽された口座振替記入欄３ａもしくはクレジット支払い記入欄４ａが同一表面側に位置し、裏面には、広告や説明書等の自由な記載スペースを確保することができる。また、切離し領域８を切り離した分、隠蔽葉書が軽くなり、複雑な工夫をしなくとも隠蔽葉書を６ｇまでにおさめることができ、製造コストが削減される。
【００８１】
上述のように、本発明は、葉書の一部が隠されて返信される隠蔽葉書帳票を、二箇所の折り兼切取り部により三つの領域に区切り、一の領域に再剥離可能な隠蔽ラベルを貼り付け、他の二の領域にそれぞれ隠蔽部を形成するようにして構成し、または、二箇所の折り兼切取り部により三つの領域に分割し、中央領域に被隠蔽部を形成し、二つの側方領域にそれぞれ被隠蔽部を形成するようにして構成したので、印刷コストおよび隠蔽部の加工や隠蔽ラベルが一枚分ですみ、生産コストが大幅に削減でき、かつ隠蔽葉書帳票を同封する封書の郵便料金を抑えることができ、さらに顧客が複数種類の申し込みが選択可能であることを容易に理解できて利便性が高まる。
【図面の簡単な説明】
【００８２】
【図１】本発明の実施形態に係る隠蔽ラベルが貼付けられた隠蔽葉書帳票の表面図である。
【図２】本発明の実施形態に係る隠蔽面が形成された隠蔽葉書帳票の表面図である。
【図３】本発明に係る隠蔽ラベルが貼付けられた図１に示す隠蔽葉書帳票のＡ−Ａ断面図である。
【図４】本発明の実施形態に係る隠蔽面が形成された隠蔽葉書帳票の一実施形態における断面図である。
【図５】本発明の実施形態に係る隠蔽面が形成された隠蔽葉書帳票の他の実施形態における断面図である。
【図６】本発明の実施形態に係る隠蔽面が形成された隠蔽葉書帳票の表面の一実施形態の概略図である。
【図７】本発明の実施形態に係る隠蔽面が形成された隠蔽葉書帳票の表面の他の実施形態の概略図である。
【符号の説明】
【００８３】
１  隠蔽葉書帳票
２  ラベル添付領域
２ａ  隠蔽ラベル
３  口座振替葉書領域
３ａ  口座振替記入欄
４  クレジット支払い葉書領域
４ａ  クレジット支払い記入欄
５  隠蔽領域
５ａ  隠蔽面
５ｂ  剥離紙
５ｃ  再剥離糊層
５ｄ  隠蔽面側粘着剤層
５ｅ  被隠蔽面側粘着剤層
５ｆ  隠蔽面側フィルム
５ｇ  被隠蔽面側フィルム
６  ミシン目
７  宛名
８  切離し領域
【図１】
2005186498.tif 000003
【図２】
2005186498.tif 000004
【図３】
2005186498.tif 000005
【図４】
2005186498.tif 000006
【図５】
2005186498.tif 000007
【図６】
2005186498.tif 000008
【図７】
2005186498.tif 000009